(57)【要約】【課題】靴底内面に沿って靴先に至るまで容易に擦ることができ、靴先内部の汚れを容易に除去することができる清掃用具を提供する。【解決手段】本発明は矩形板状をなす清掃用具であり、長手方向一端側の二つの対向側面１ａ，１ｂ間距離が他端側の対向側面１ａ，１ｂ間距離よりも短い楔状とし、長手方向一端側の厚みを長手方向他端側の厚みよりも薄くすることにより、靴底内面に沿って靴先に至るまで容易に擦ることができるようにした。【選択図】図１
2009125484.tif 000002
【特許請求の範囲】
【請求項１】
矩形板状をなす清掃用具であって、長手方向一端側の対向側面間距離が他端側の対向側面間距離よりも短い楔状をなし、前記長手方向一端側の厚みは長手方向他端側の厚みよりも薄いことを特徴とする清掃用具。
【請求項２】
長手方向他端側の端面は凹所を有し、該凹所と前記対向側面とが連なる角部は尖っている請求項１記載の清掃用具。
【請求項３】
厚み方向の中間は基板を有し、該基板の一面に不織布を、他面にスポンジ板を夫々添着してある請求項１又は２記載の清掃用具。
【発明の詳細な説明】
【技術分野】
【０００１】
本発明は靴の内部を清掃するのに便利な清掃用具に関する。
【背景技術】
【０００２】
運動靴、スニーカ等の水洗いが可能な被清掃物を清掃する清掃用具としては適宜形状のスポンジ、又はブラシが用いられている（例えば、特許文献１参照。）。
【特許文献１】特開２００１−２５８８０９号公報
【発明の開示】
【発明が解決しようとする課題】
【０００３】
ところが、スポンジからなる清浄用具にあっては、全体が等しい厚さに形成されており、また、ブラシからなる清浄用具にあっては、ブラシ台に毛体群が植毛され、比較的厚みが厚いため、運動靴等の靴の内面を水洗いする際、靴先内部の汚れを除去し難いという問題があった。
【０００４】
本発明は斯かる事情に鑑みてなされたものであり、主たる目的は長手方向一端側の対向側面間距離が他端側の対向側面間距離よりも短い楔状とし、前記長手方向一端側の厚みを長手方向他端側の厚みよりも薄くすることにより、靴先内部の汚れを容易に除去することができる清掃用具を提供することにある。
【０００５】
また、他の目的は長手方向他端側の端面に凹所を設け、該凹所と前記対向側面とが連なる角部を尖らせることにより、靴底の滑止め溝内の汚れを容易に除去することができる清掃用具を提供することにある。
【０００６】
また、他の目的は厚み方向の中間に基板を設け、該基板の一面に不織布を、他面にスポンジ板を夫々添着することにより、スポンジ板を撓ませつつ靴底内面及び靴先内面に沿って擦り易くすることができる清掃用具を提供することにある。
【課題を解決するための手段】
【０００７】
第１発明に係る清掃用具は、矩形板状をなす清掃用具であって、長手方向一端側の対向側面間距離が他端側の対向側面間距離よりも短い楔状をなし、前記長手方向一端側の厚みは長手方向他端側の厚みよりも薄いことを特徴とする。
第１発明にあっては、靴底内面に沿って靴先に至るまで容易に擦ることができ、靴先内部の汚れを容易に除去することができる。
【０００８】
第２発明に係る清掃用具は、長手方向他端側の端面は凹所を有し、該凹所と前記対向側面とが連なる角部は尖っていることを特徴とする。
第２発明にあっては、尖っている角部により靴底の滑り止め溝部分を擦ることができ、滑り止め溝内の汚れを容易に除去することができる。
【０００９】
第３発明に係る清掃用具は、厚み方向の中間は基板を有し、該基板の一面に不織布を、他面にスポンジ板を夫々添着してあることを特徴とする。
第３発明にあっては、スポンジ板を撓ませつつ靴底内面及び靴先内面に沿って擦ることができるため、サイズが異なる靴であっても靴内部の清掃をより一層容易にでき、また、汚れ度合いに応じて不織布、スポンジ板を選択することができ、清掃による靴の損傷を低減できる。
【発明の効果】
【００１０】
第１発明によれば、靴底内面に沿って靴先に至るまで容易に擦ることができ、靴先内部の汚れを容易に除去することができる。
【００１１】
第２発明によれば、尖っている角部により靴底の滑り止め溝部分を擦ることができ、滑り止め溝内の汚れを容易に除去することができる。
【００１２】
第３発明によれば、サイズが異なる靴であっても靴内部の清掃をより一層容易にでき、また、汚れ度合いに応じて不織布、スポンジ板を選択することができ、清掃による靴の損傷を低減できる。
【発明を実施するための最良の形態】
【００１３】
以下本発明をその実施の形態を示す図面に基づいて詳述する。図１は本発明に係る清掃用具の構成を示す斜視図、図２は清掃用具の構成を示す縦断面図、図３は清掃用具の構成を示す側面図、図４は清掃用具の構成を示す平面図である。
【００１４】
本発明に係る清掃用具１は、基板２と、該基板２の一面に添着してある不織布３と、基板２の他面に添着してあるスポンジ板４とにより矩形板状に構成されている。
【００１５】
基板２はスポンジ板４よりも硬質のポリエチレン製であり、全面に亘って等しい厚さに形成されており、不織布３及びスポンジ板４を保形している。
【００１６】
不織布３は、ポリエステル等の熱可塑性繊維を互いにからませて集合してなる比較的薄肉シート状のウェブの一面をニードルパンチ加工により起毛させることによりシート状に形成され、ウェブの他面が接着剤等の接合手段により基板２に接合されている。また、起毛側は複数本の溝が並設されている。
【００１７】
スポンジ板４は、平坦な一面に対して他面が傾斜するポリウレタン等の柔軟性を有する発泡材からなり、一面が接着剤等の接合手段により基板２に接合されている。
【００１８】
このように基板２、不織布３及びスポンジ板４が積層され、長手方向一端側の対向側面１ａ，１ｂ及び対向側面１ａ，１ｂ夫々に連なる二つの端面１ｃ，１ｄを有する清掃用具１は、長手方向一端側の対向側面１ａ，１ｂ間距離が他端側の対向側面１ａ，１ｂ間距離よりも漸次短くなっている楔状に形成されている。また、スポンジ板４側の他面１ｆが不織布３側の一面１ｅに対して一方の端面１ｃから他方の端面１ｄに亘って傾斜する傾斜面に形成され、一方の端面１ｃの厚みが他方の端面１ｄの厚みよりも薄くなっている。
【００１９】
楔状をなす清掃用具１は、他方の端面１ｄに、一方の端面１ｃ方向へ窪む略Ｖ字形状の凹所１ｇが設けられており、該凹所１ｇと二つの対向側面１ａ，１ｂとが連なる角部に尖がり部１ｈ，１ｈを設けてあり、一方の端面１ｃを略半円形に湾曲する湾曲面としてあり、また、凹所１ｇの最深部近傍に貫通孔５が開設され、該貫通孔５に吊り紐６が挿嵌保持されている。
【００２０】
図５は使用状態を示す説明図である。以上のように構成された清掃用具１は全体が楔状をなし、漸次先尖がりになっているとともに、長手方向一端側の厚みが長手方向他端側の厚みよりも薄くなっているため、靴先内部に挿入された際、不織布３の一面１ｅを靴底内面に接触させることができ、また、一方の端面１ｃの湾曲部を靴先内面に接触させることができ、この接触が阻害されることなく靴底内面、靴先内面に沿って自在に擦ることができ、靴先内部の汚れを容易に除去することができる。
【００２１】
また、対向側面１ａ，１ｂの対向間距離が長く、且つ厚みが厚い部分を摘んで靴内部を擦ることができるため、靴内部の清掃を容易にできる。また、不織布３及びスポンジ板４を保形している基板２を強く摘んで清掃することができるため、靴に加えることができる力を大きくでき、落ちにくい汚れを除去し易い。
【００２２】
また、底面に滑り止め溝を有する靴の底面を清掃する場合、対向側面１ａ，１ｂの対向間距離が長く、且つ厚みが厚い部分の角部に設けられている尖がり部１ｈ，１ｈにより前記滑り止め溝部分を擦ることができるため、滑り止め溝内の汚れを容易に除去することができる。
【００２３】
尚、以上説明した実施の形態では不織布３及びスポンジ板４が基板２に積層されている３層構造としたが、その他、不織布３及びスポンジ板４のいずれか一方が基板２に積層されている２層構造としてもよい。
【００２４】
また、本発明に係る清掃用具１は靴の清掃に適しているが、その他、靴以外の被清掃体の清掃もできる。
【図面の簡単な説明】
【００２５】
【図１】本発明に係る清掃用具の構成を示す斜視図である。
【図２】本発明に係る清掃用具の構成を示す縦断面図である。
【図３】本発明に係る清掃用具の構成を示す側面図である。
【図４】本発明に係る清掃用具の構成を示す平面図である。
【図５】本発明に係る清掃用具の使用状態を示す説明図である。
【符号の説明】
【００２６】
１    清掃用具
１ａ，１ｂ  対向側面
１ｃ，１ｄ  端面
１ｇ  凹所
１ｈ  尖がり部
２    基板
３    不織布
４    スポンジ板
【図１】
2009125484.tif 000003
【図２】
2009125484.tif 000004
【図３】
2009125484.tif 000005
【図４】
2009125484.tif 000006
【図５】
2009125484.tif 000007